(57)【要約】【課題】テーマパークのような一定の施設内で撮影された不特定多数の利用者の顔画像をテンプレート画像と合成した画像を識別してプリントできる写真サービスシステムを提供する。【解決手段】Ｓ７では、各フォトスポットで撮影された画像のプリントを希望する入場者が、プリント注文の一操作として、処理センタ１に接続されたＩＣチップリーダ５ｂにＩＣチップ付き入場券６の入場券ＩＤを読み取らせる。処理部１１はＩＣチップリーダ５ｂの読み込んだ入場券ＩＤに対応する元画像を画像ＤＢ１４から特定する。Ｓ８では、処理部１１は特定された元画像に対応する抽出顔画像を、所定のテンプレート画像に合成し、表示部１５でプレビュー表示させる。【選択図】  図２
2005339338.tif 000002
【特許請求の範囲】
【請求項１】
ＩＣチップ付き入場券のＩＣチップに記憶されている固有の入場者識別情報と前記ＩＣチップ付き入場券を保有する入場者の顔画像である登録顔画像とを対応させて第１の記憶媒体に記憶させる第１記憶制御手段と、
１又は複数の入場者を被写体とした元画像から入場者の顔の部分を表す抽出顔画像を抽出する抽出手段と、
前記抽出顔画像に適合する登録顔画像を前記第１の記憶媒体から特定し、特定した登録顔画像に対応する入場者識別情報と特定した登録顔画像に適合する抽出顔画像とを対応づけて第２の記憶媒体に記憶させる第２記憶制御手段と、
ＩＣチップ付き入場券から固有の入場者識別情報を読み取る読取手段と、
ＩＣチップ付き入場券から読み取られた入場者識別情報に対応する抽出顔画像と所定のテンプレート画像とを合成した合成画像を作成する合成手段と、
前記合成画像をプリントするプリント手段と、
を備える写真サービスシステム。
【請求項２】
１つの元画像から抽出された１又は複数の抽出顔画像を前記合成画像に合成する位置である合成位置を決定する決定手段をさらに備え、
前記合成手段は決定された合成位置に抽出顔画像を合成する請求項１に記載の写真サービスシステム。
【請求項３】
前記決定手段は前記ＩＣチップ付き入場券から読み取られた入場者識別情報に対応する抽出顔画像の合成位置を特定の第１合成位置に決定し、前記ＩＣチップ付き入場券から読み取られた入場者識別情報に対応しない抽出顔画像の合成位置を前記第１合成位置以外の第２合成位置に決定する請求項２に記載の写真サービスシステム。
【発明の詳細な説明】
【技術分野】
【０００１】
本発明は写真サービスシステムに係り、特に施設内の所定位置で撮影された画像を所定のテンプレート画像と合成してプリントする写真サービスシステムに関する。
【背景技術】
【０００２】
従来、面白みのある合成写真をプリントするシステムが様々提案されている。例えば、特許文献１によると、撮影前においてモニターテレビ上に表示されるフレーム画像を動画像状態にして表示させるとともに、ストップボタンの押下に伴い、その瞬間のフレーム画像を静止画像として、今回の撮影にて使用されるフレーム画像に設定する。その結果、同じ画像パターンのフレーム画像を使用して撮影を行う場合においても、ストップボタンを押下するタイミングを変えることで、出来上がる写真も雰囲気の違った写真となる。
【特許文献１】特開平１０−２８２５７１号公報
【発明の開示】
【発明が解決しようとする課題】
【０００３】
ところが、上述の特許文献１によると、一人のプレーヤの横顔を撮影し、その横顔画像をフレーム画像に合成するのであるが、不特定多数のプレーヤの横顔画像を識別する技術については具体的に開示されていない。本発明はこのような問題点に鑑みてなされたもので、テーマパークのような一定の施設内で撮影された不特定多数の利用者の顔画像をテンプレート画像と合成した画像を識別してプリントできる写真サービスシステムを提供することを目的とする。
【課題を解決するための手段】
【０００４】
上述の課題を解決するため、請求項１に係る発明は、ＩＣチップ付き入場券のＩＣチップに記憶されている固有の入場者識別情報と前記ＩＣチップ付き入場券を保有する入場者の顔画像である登録顔画像とを対応させて第１の記憶媒体に記憶させる第１記憶制御手段と、入場者を被写体とした元画像から入場者の顔の部分を表す抽出顔画像を抽出する抽出手段と、前記抽出顔画像に適合する登録顔画像を前記第１の記憶媒体から特定し、特定した登録顔画像に対応する入場者識別情報と特定した登録顔画像に適合する抽出顔画像とを対応づけて第２の記憶媒体に記憶させる第２記憶制御手段と、ＩＣチップ付き入場券から固有の入場者識別情報を読み取る読取手段と、ＩＣチップ付き入場券から読み取られた入場者識別情報に対応する抽出顔画像と所定のテンプレート画像とを合成した合成画像を作成する合成手段と、前記合成画像をプリントするプリント手段と、を備える写真サービスシステムを提供する。
【０００５】
この発明によると、ＩＣチップ付き入場券から読み取られた入場者識別情報に対応する抽出顔画像と所定のテンプレート画像とを合成した合成画像をプリントするため、入場者は自分の保有するＩＣチップ付き入場券から自分の顔画像を含む合成画像を簡単に識別してプリント注文できる。
【０００６】
請求項２に係る発明は、１つの元画像から抽出された１又は複数の抽出顔画像を前記合成画像に合成する位置である合成位置を決定する決定手段をさらに備え、前記合成手段は決定された合成位置に抽出顔画像を合成する請求項１に記載の写真サービスシステムを提供する。
【０００７】
この発明によると、１又は複数の抽出顔画像を合成する合成位置が決定される。合成位置の決定は任意であり、例えばキーボードやマウスなどの操作手段から各抽出顔画像を合成する位置の指定を受け付け、指定された位置を合成位置としてもよい。
【０００８】
請求項３に係る発明は、前記決定手段は前記ＩＣチップ付き入場券から読み取られた入場者識別情報に対応する抽出顔画像の合成位置を特定の第１合成位置に決定し、前記ＩＣチップ付き入場券から読み取られた入場者識別情報に対応しない抽出顔画像の合成位置を前記第１合成位置以外の第２合成位置に決定する請求項２に記載の写真サービスシステムを提供する。
【０００９】
この発明によると、ＩＣチップ付き入場券から読み取られた入場者識別情報に対応する抽出顔画像の合成位置を特定の第１合成位置に決定する。例えば、特定の第１合成位置を、抽出顔画像の目立つテンプレート画像の中央などとすることで、ＩＣチップ付き入場券から読み取られた入場者識別情報に対応する抽出顔画像を最も目立つ良い位置に配置して合成することができるため、プリント注文の一操作として特定の入場者がＩＣチップ付き入場券を読み取らせる動機付けとなり、プリントを得る満足度も高まる。
【発明の効果】
【００１０】
この発明によると、ＩＣチップ付き入場券から読み取られた入場者識別情報に対応する抽出顔画像と所定のテンプレート画像とを合成した合成画像をプリントするため、入場者は自分の保有するＩＣチップ付き入場券から自分の顔画像を含む合成画像を簡単に識別してプリント注文できる。
【発明を実施するための最良の形態】
【００１１】
以下、添付した図面を参照し本発明の好ましい実施の形態を説明する。
【００１２】
［概略構成］
図１は本発明の好ましい実施形態に係る写真サービスシステムのブロック構成図である。このシステムは、テーマパークのような一定の施設内で使用するシステムである。このシステムは、施設の所定の場所に設置されるパソコンサーバなどで構成された処理センタ１と、施設内の各所の撮影スポット（フォトスポット）に設置されたパソコンなどで構成された処理用端末２とを含む。処理用端末２と処理センタ１とはＬＡＮなどのネットワーク７で接続されている。この図では、処理用端末２は１つしか図示していないが、複数の処理用端末２を処理センタ１に接続することも可能である。処理用端末２、処理センタ１には、施設の入場者に配布されたＩＣチップ付き入場券６のＩＣチップ（図示せず）に記憶された固有の入場券ＩＤを読み取るＩＣチップリーダ５ａ、５ｂがそれぞれ接続されている。
【００１３】
処理センタ１は、演算装置（ＣＰＵ）などで構成された処理部１１と、インターネットなどのネットワーク７を介してデータ通信を行う通信部１７と、ＩＣチップ付き入場券６に記憶された固有の入場券ＩＤを読み取るＩＣチップリーダ５と、各種入力操作及び指示操作を受け付ける操作部１６と、入場者を管理する情報を記憶するユーザデータベース（ＤＢ）１３と、処理用端末２から送信された画像を管理する画像データベース（ＤＢ）１４と、各種表示を行うディスプレイである表示部１５と、処理部１１が使用する各種データや実行するプログラムを記憶する半導体記憶装置などで構成された記憶部１２を有している。処理用端末２はＩＥＥＥ１３９４準拠の通信回線などでデジタルスチルカメラ（ＤＳＣ）３と接続されている。
【００１４】
［処理の流れ］
以下、図２のフローチャートに基づき、本システムのプリントサービス利用方法及び処理の流れを説明する。Ｓ１では、各入場者の施設の入場時に配布されたＩＣチップ付き入場券６のＩＣチップに記憶された固有の入場券ＩＤをＩＣチップリーダ５ａで読み取る。Ｓ２では、スタッフが各入場者の顔を個別にＤＳＣ３で撮影する。Ｓ３では、処理用端末２は、ＤＳＣ３から送信された画像から顔の部分を抽出し、抽出した顔部分の画像とＳ１で読み取った入場券ＩＤとを対応させて処理センタ１に送信する。なお、顔の部分の抽出は各種の顔抽出処理が適用可能である。
【００１５】
Ｓ４では、処理センタ１の処理部１１は、受信した顔部分の画像と入場券ＩＤとを対応させてユーザＤＢ１３に登録する。以下、ユーザＤＢ１３に登録された顔部分の画像を登録顔画像という。図３（ａ）はユーザＤＢ１３に記憶される情報の概念説明図である。ユーザＤＢ１３には、入場券ＩＤと登録顔画像とが対応づけられて記憶されている。即ち、ユーザＤＢ１３では、どの登録顔画像がどの入場者のものであるかを入場券ＩＤから特定できる。
【００１６】
Ｓ５では、各フォトスポットに配置されたスタッフが、撮影を希望する入場者を被写体としてＤＳＣ３で撮影する。複数人の入場者をグループで撮影することも可能である。各フォトスポットで撮影された入場者の画像はＤＳＣ３から処理用端末２に送信される。処理用端末２はこの画像をネットワーク７を介して処理センタ１に送信する。Ｓ６では、処理センタ１の処理部１１は処理用端末２から送信された画像（以下元画像という）に含まれる被写体（即ち入場者）の顔の部分を抽出する。以下、処理部１１が元画像から抽出した顔の部分の画像を抽出顔画像という。例えば、図４に示すように、元画像Ｉ１に３人の人物が写っている場合、処理部１１は３つの顔の部分Ｆ１〜Ｆ３を抽出顔画像として抽出する。
【００１７】
そして、処理部１１は、抽出顔画像に適合する登録顔画像をユーザＤＢ１３から特定し、特定した登録顔画像に対応する入場券ＩＤと特定した登録顔画像に適合する抽出顔画像と抽出顔画像を含む元画像とを対応づけて画像ＤＢ１４に記憶する。登録顔画像と抽出顔画像との適合の判定は各種の顔認識技術が利用でき、例えば顔の大きさ、顔の輪郭、目の位置などから両者の適合を判定できる。図３（ｂ）は画像ＤＢ１４に記憶される情報の概念説明図である。画像ＤＢ１４には、少なくとも入場券ＩＤと抽出顔画像と該抽出顔画像を含む元画像とが対応づけられて記憶される。即ち、各入場者は、自分の保有するＩＣチップ付き入場券６の入場券ＩＤから、自分の顔が写っている元画像を特定できる。
【００１８】
Ｓ７では、各フォトスポットで撮影された画像のプリントを希望する入場者が、プリント注文の一操作として、処理センタ１に接続されたＩＣチップリーダ５ｂにＩＣチップ付き入場券６の入場券ＩＤを読み取らせる。処理部１１はＩＣチップリーダ５ｂの読み込んだ入場券ＩＤに対応する元画像を画像ＤＢ１４から特定する。Ｓ８では、処理部１１は特定された元画像に対応する抽出顔画像を、所定のテンプレート画像に合成し、表示部１５でプレビュー表示させる。テンプレート画像は特に限定されないが、施設を訪れた記念となる内容（施設の名称やマスコットキャラクタなど）を含むことが好ましい。
【００１９】
テンプレート画像上の抽出顔画像を合成する位置は１又は複数用意されている。以下この位置を合成位置という。元画像に複数の入場者の顔が含まれている場合、入場券ＩＤで特定された元画像に対応する抽出顔画像は複数となる。この場合、どの抽出顔画像をどの合成位置に合成するかは、入場者が操作部１６から任意に指定できるようにしてもよい。あるいは、処理センタ１が所定の規則に従ってどの抽出顔画像をどの合成位置に合成するかを決定してもよい。例えば、ＩＣチップリーダ５ｂの読み込んだ入場券ＩＤに対応する抽出顔画像を、抽出顔画像の目立つ位置（例えば図６の位置Ｐ１）などの特定の第１の位置に合成し、ＩＣチップリーダ５ｂの読み込んだ入場券ＩＤに対応しない抽出顔画像を第１の位置以外の合成位置（例えば図６の位置Ｐ２〜Ｐ７）に合成してもよい。このようにすれば、どの入場者がＩＣチップリーダ５に入場券ＩＤを読み込ませるかで、グループ撮影で得た１つの元画像から抽出した複数の抽出顔画像の合成位置が変化し、合成画像の興趣性が増す。Ｓ９では、プリンタ９が元画像及び合成画像をプリントする。図５は合成画像の一例である。この図では、抽出顔画像Ｆ１〜Ｆ３がそれぞれテンプレート画像ＴＩの合成位置Ｔ１〜Ｔ３に合成されている。入場券ＩＤを読み込ませた入場者の抽出顔画像Ｆ２が画像中央に配置されている。
【００２０】
なお、処理用端末２にユーザＤＢ１３及び画像ＤＢ１４を備えさせ、上述のステップＳ３〜８のうち処理部１１が実行する処理を処理用端末２に代わりに実行させ、処理用端末２で得られた合成画像を記録媒体８に記録し、記録媒体８を処理センタ１に運搬し、メディア受付機４で記録媒体８に記録した合成画像を読み取ってプリンタ９でプリントしてもよい。
【００２１】
以上、各入場者は、ＩＣチップ付き入場券６の入場券ＩＤを処理センタ１に接続されたＩＣチップリーダ５ｂから読み込ませることで、各フォトスポットで自分が被写体として撮影された元画像と、自分の抽出顔画像がテンプレートに合成された画像をプリンタ９からプリントさせることができる。テンプレート画像には抽出顔画像が合成されているため、観光地に備えられた所謂「かきわり」で撮影したような面白い内容の画像をプリントで得ることができる一方、各フォトスポットで撮影した元画像もプリントで得ることができる。
【図面の簡単な説明】
【００２２】
【図１】本発明の好ましい実施形態に係る写真サービスシステムのブロック構成図
【図２】本システムで実行される処理の流れを示すフローチャート
【図３】ユーザＤＢ及び画像ＤＢに記憶される情報の概念説明図
【図４】元画像及び抽出顔画像の一例を示す図
【図５】合成画像の一例を示す図
【図６】抽出顔画像の合成位置の一例を示す図
【符号の説明】
【００２３】
１：処理センタ、２：処理用端末、５：ＩＣチップリーダ、６：ＩＣチップ付き入場券
【図１】
2005339338.tif 000003
【図２】
2005339338.tif 000004
【図３】
2005339338.tif 000005
【図４】
2005339338.tif 000006
【図５】
2005339338.tif 000007
【図６】
2005339338.tif 000008